(57)【要約】【課題】従動用カム部材と駆動用カム部材との摺動面の構成を改良することにより、従動用カム部材と駆動用カム部材とのクリアランスにかかわらず、安定したスイッチ動作を実現することのできるスイッチ機構を提供すること。【解決手段】給水スイッチ７３において、リーフ接片７３１は、従動用カム部材５５ｂに向けて付勢されており、凸状カム部５５６によって変位した後、凸状カム部５５６を付勢することにより従動用カム部材５５ｂを駆動用カム部材５５ａより先行回転させて、変位前の状態に復帰する。従動用カム部材５５ｂと駆動用カム部材５５ａとの間には、円弧角が１８０°以下の円弧状摺動凹部５５４ａと、円弧状摺動凹部５５４ａと同一の曲率半径の円弧状摺動凸部５５２ａとによって円弧状摺動面５５０が構成されている。【選択図】図８
2010238521.tif 000002
【特許請求の範囲】
【請求項１】
カム部を備えた従動用カム部材と、該従動用カム部材に対して周方向の遊びをもって係合し、当該従動用カム部材を回転駆動する駆動用カム部材と、前記従動用カム部材に向けて付勢され、前記カム部によって変位した後、当該カム部を付勢することにより前記従動用カム部材を前記駆動用カム部材より先行回転させて、変位前の状態に復帰するスイッチング用可動部材と、を有するスイッチ機構において、
前記従動用カム部材と前記駆動用カム部材との間には、前記従動用カム部材および前記駆動用カム部材のうちの一方の部材に形成された円弧状摺動凹部と、該円弧状摺動凹部と同一の曲率半径をもって他方の部材に形成された円弧状摺動凸部とによって円弧状摺動面が構成され、
前記円弧状摺動凹部および前記円弧状摺動凸部のうちの少なくとも一方の円弧角は、１８０°以下であることを特徴とするスイッチ機構。
【請求項２】
前記一方の部材は、前記従動用カム部材であり、
前記他方の部材は、前記駆動用カム部材であることを特徴とする請求項１に記載のスイッチ機構。
【請求項３】
前記一方の部材は、前記円弧状摺動凹部が内周側面に形成されたリング状部材であり、
前記他方の部材は、前記円弧状摺動凸部を外周側面にもって前記リング状部材の内側に嵌る軸状部を備えていることを特徴とする請求項１または２に記載のスイッチ機構。
【請求項４】
前記リング状部材の内周側面において、前記円弧状摺動凹部に対して周方向にずれた部分は、当該円弧状摺動凹部よりも曲率半径の大きな大径部になっていることを特徴とする請求項３に記載のスイッチ機構。
【請求項５】
前記軸状部の外周側面において、前記円弧状摺動凸部に対して周方向にずれた部分は、当該円弧状摺動凸部よりも曲率半径の小さな小径部になっていることを特徴とする請求項３に記載のスイッチ機構。
【発明の詳細な説明】
【技術分野】
【０００１】
本発明は、スイッチング用可動部材をカム部で変位させた後、当該スイッチング用可動部材を瞬時に変位前の状態に戻すスイッチ機構に関するものである。
【背景技術】
【０００２】
スイッチング用可動部材をカム部で変位させた後、当該スイッチング用可動部材を瞬時に変位前の状態に戻すスイッチ機構としては、例えば、図１３に示すように、カム部１００１を備えたリング状の従動用カム部材１０１０と、従動用カム部材１０１０を回転駆動する軸状の駆動用カム部材１０２０と、従動用カム部材１０１０に向けて付勢されたスイッチング用可動部材１０３０とを有するものがある（例えば、特許文献１参照）。
【０００３】
かかるスイッチング機構において、駆動用カム部材１０２０のキー部分１０２１は、従動用カム部材１０１０の凹部１０１５に周方向に遊びをもって嵌っている。このため、スイッチング用可動部材１０３０は、カム部１００１に押圧されて変位した後、カム部１００１を付勢して従動用カム部材１０１０を駆動用カム部材１０２０より先行回転させるので、変位前の状態に瞬時に復帰することができる。ここで、従動用カム部材１０１０の内周面および駆動用カム部材１０２０の外周面はいずれも真円であるので、従動用カム部材１０１０は、駆動用カム部材１０２０に支持された状態で回転することができる。
【先行技術文献】
【特許文献】
【０００４】
【特許文献１】特開２００２−２７９８７９号公報
【発明の概要】
【発明が解決しようとする課題】
【０００５】
しかしながら、図１３に示すスイッチング機構では、従動用カム部材１０１０の内周面および駆動用カム部材１０２０の外周面はいずれも真円であるので、それらの間のクリアランスが大きいと、従動用カム部材１０１０が駆動用カム部材１０２０に対して偏心して揺動してしまう。かかる揺動が発生すると、安定なスイッチ動作を行なえなくなるので、好ましくない。かといって、従動用カム部材１０１０の内周面と駆動用カム部材１０２０の外周面との間のクリアランスが小さいと、従動用カム部材１０１０が駆動用カム部材１０２０に対してスムーズに先行回転できなくなるため、やはり、安定なスイッチ動作を行なえなくなる。かかるクリアランスの変動は、製造の際の寸法精度の影響の他、環境温度の変化に伴う部材の収縮や膨張によって発生する。
【０００６】
以上の問題点に鑑みて、本発明の課題は、従動用カム部材と駆動用カム部材との摺動面の構成を改良することにより、従動用カム部材と駆動用カム部材とのクリアランスにかかわらず、安定したスイッチ動作を実現することのできるスイッチ機構を提供することにある。
【課題を解決するための手段】
【０００７】
上記課題を解決するために、本発明では、カム部を備えた従動用カム部材と、従動用カム部材に対して周方向の遊びをもって係合し、当該従動用カム部材を回転駆動する駆動用カム部材と、前記従動用カム部材に向けて付勢され、前記カム部によって変位した後、当該カム部を付勢することにより前記従動用カム部材を前記駆動用カム部材より先行回転させて、変位前の状態に復帰するスイッチング用可動部材と、を有するスイッチ機構において、前記従動用カム部材と前記駆動用カム部材との間には、前記従動用カム部材および前記駆動用カム部材のうちの一方の部材に形成された円弧状摺動凹部と、該円弧状摺動凹部と同一の曲率半径をもって他方の部材に形成された円弧状摺動凸部とによって円弧状摺動面が構成され、前記円弧状摺動凹部および前記円弧状摺動凸部のうちの少なくとも一方の円弧角は、１８０°以下であることを特徴とする。
【０００８】
本発明では、スイッチング用可動部材は、カム部に押圧されて変位した後、カム部を付勢して従動用カム部材を駆動用カム部材より先行回転させるので、変位前の状態に瞬時に復帰することができる。ここで、従動用カム部材と駆動用カム部材との間には、円弧状摺動面が構成されているので、従動用カム部材は、駆動用カム部材に案内されて回転することになる。ここで、円弧状摺動面は、従動用カム部材および駆動用カム部材のうちの一方の部材に形成された円弧状摺動凹部と、該円弧状摺動凹部と同一の曲率半径をもって他方の部材に形成された円弧状摺動凸部とによって構成されているが、かかる円弧状摺動凹部および円弧状摺動凸部のうちの少なくとも一方の円弧角は１８０°以下である。このため、従動用カム部材と駆動用カム部材との間のクリアランスの大きさにかかわらず、従動用カム部材が駆動用カム部材に対して偏心することがなく、かつ、従動用カム部材と駆動用カム部材との間の摺動抵抗が過度に大きくなることもない。それ故、安定したスイッチング動作を行なうことができる。
【０００９】
本発明においては、例えば、前記一方の部材は、前記従動用カム部材であり、前記他方の部材は、前記駆動用カム部材である。
【００１０】
本発明において、前記一方の部材は、前記円弧状摺動凹部が内周側面に形成されたリング状部材であり、前記他方の部材は、前記円弧状摺動凸部を外周側面にもって前記リング状部材の内側に嵌る軸状部を備えていることが好ましい。かかる構成によれば、一方の部材の内側に他方の部材の軸状部が常に支持された状態にあるので、一方の部材と他方の部材とが外れることを阻止するための手段を必要としないという利点がある。
【００１１】
本発明では、前記リング状部材の内周側面において、前記円弧状摺動凹部に対して周方向にずれた部分は、当該円弧状摺動凹部よりも曲率半径の大きな大径部になっていることが好ましい。
【００１２】
本発明では、前記軸状部の外周側面において、前記円弧状摺動凸部に対して周方向にずれた部分は、当該円弧状摺動凸部よりも曲率半径の小さな小径部になっている構成を採用してもよい。
【発明の効果】
【００１３】
本発明のスイッチング機構において、スイッチング用可動部材は、カム部に押圧されて変位した後、カム部を付勢して従動用カム部材を駆動用カム部材より先行回転させるので、変位前の状態に瞬時に復帰することができる。ここで、従動用カム部材と駆動用カム部材との間には、円弧状摺動面が構成されているので、従動用カム部材は、駆動用カム部材に案内されて回転することになる。ここで、円弧状摺動面は、従動用カム部材および駆動用カム部材のうちの一方の部材に形成された円弧状摺動凹部と、該円弧状摺動凹部と同一の曲率半径をもって他方の部材に形成された円弧状摺動凸部とによって構成されているが、かかる円弧状摺動凹部および円弧状摺動凸部のうちの少なくとも一方の円弧角は１８０°以下である。このため、従動用カム部材と駆動用カム部材との間のクリアランスの大きさにかかわらず、従動用カム部材が駆動用カム部材に対して偏心することがなく、かつ、従動用カム部材と駆動用カム部材との間の摺動抵抗が過度に大きくなることもない。それ故、安定したスイッチング動作を行なうことができる。
【図面の簡単な説明】
【００１４】
【図１】（Ａ）、（Ｂ）は各々、本発明を適用した製氷装置をケースが位置する側からみた斜視図、および端板が位置する側からみた斜視図である。
【図２】（Ａ）、（Ｂ）、（Ｃ）は各々、図１に示す製氷装置に用いた掻き出し部材、製氷皿およびガイド部材の斜視図である。
【図３】（Ａ）、（Ｂ）、（Ｃ）は各々、図１に示す製氷装置を前側からみた正面図、製氷装置の掻き出し部材が原点位置にある状態を示す断面図、および掻き出し部材が原点位置から回転した状態を示す断面図である。
【図４】図１に示す製氷装置の駆動ユニットの概略構成を示すブロック図である。
【図５】図１に示す製氷装置の駆動ユニットの概略構成を示すブロック図である。
【図６】図１に示す製氷装置の動作を示すタイミングチャート図である。
【図７】図１に示す製氷装置において、駆動ユニットに用いられた内ケースおよびこの内ケース内に配置された部材の説明図である。
【図８】（Ａ）、（Ｂ）、（Ｃ）は各々、図１に示す製氷装置において、図７に示す回転カム体の側面図、回転カム体にリーフ接片を配置した様子の斜視図、および回転カム体の分解斜視図である。
【図９】図１に示す製氷装置において、駆動ユニットに用いられた地板およびこの地板において外ケースと対向する側に配置された部材の説明図である。
【図１０】図１に示す製氷装置においてメインスイッチを構成する３枚のリーフ接片の説明図である。
【図１１】図１に示す製氷装置に構成した給水スイッチの説明図である。
【図１２】図１に示す製氷装置の駆動ユニットの動作を示す説明図である。
【図１３】スイッチ機構の説明図である。
【発明を実施するための形態】
【００１５】
以下に、図面を参照して、本発明に係るスイッチ機構を製氷装置の給水スイッチに搭載した例を説明する。
【００１６】
［全体構成］
図１（Ａ）、（Ｂ）は各々、本発明を適用した製氷装置をケースが位置する側からみた斜視図、および端板が位置する側からみた斜視図である。図２（Ａ）、（Ｂ）、（Ｃ）は各々、図１に示す製氷装置に用いた掻き出し部材、製氷皿およびガイド部材の斜視図である。図３（Ａ）、（Ｂ）、（Ｃ）は各々、図１に示す製氷装置を前側からみた正面図、製氷装置の掻き出し部材が原点位置にある状態を示す断面図、および掻き出し部材が原点位置から回転した状態を示す断面図である。
【００１７】
図１（Ａ）、（Ｂ）、図２（Ａ）、（Ｂ）、（Ｃ）、および図３（Ａ）、（Ｂ）、（Ｃ）において、本形態の製氷装置１は、冷蔵庫内あるいは冷凍庫内において氷を連続して製造するとともに、製造した氷を下方の貯氷部１ａに自動的に排出するための装置であり、氷を製造するための製氷ユニット２と、氷の掻き出し動作などを制御する駆動ユニット３（駆動制御部）とを有している。駆動ユニット３からは検氷レバー６０が下方の貯氷部１ａに向けて延びている。
【００１８】
製氷ユニット２は、製氷皿２１と、製氷皿２１の側方（後側）で製氷皿２１に給水するための給水部２２と、脱氷機構１ｆにおいて製氷皿２１内で製造された氷を掻き出すための掻き出し部材２３と、この掻き出し部材２３によって掻き出された氷を製氷皿２１の下方に位置する貯氷部１ａに導くガイド部材２４と、製氷皿２１の右側面において駆動ユニット３と対向するように起立した端板２５（検氷レバー支持部）とを備えている。
【００１９】
製氷皿２１はアルミニウム製であり、コーティングやアルマイト処理などの表面処理が施されている。製氷皿２１の上面には、仕切り板２１８によって複数の製氷溝２１５（製氷用凹部）が区画形成されており、給水部２２から供給された水は、複数の製氷溝２１５の各々に貯留され、そこで凍結する。製氷皿２１の底面には、氷を製氷皿２１から排出する際に製氷皿２１の底面を加熱するためのヒータ２６が配置されており、ヒータ２６は、加締めなどの方法により製氷皿２１と一体化されている。製氷皿２１の左側面部では、ヒータ２６に対するゴム製の２つの端子部２６２が突出しており、２本の端子部２６２の先端面からは端子２６１が突出している。製氷皿２１において、２つの端子部２６２で挟まれた領域には、製氷皿２１の温度を監視するためのサーモスタット（後述する）が当接する被検温部２１９が形成されている。
【００２０】
給水部２２は、製氷皿２１に対して氷が排出される側（前側）とは反対側（後側）に配置されており、製氷皿２１の後壁で開口する給水口２２１を備えている。給水部２２には、給水管２２８から水が供給されるようになっており、この給水管２２８には、図３（Ｂ）に模式的に示すように、給水ポンプ２２０が接続されている。
【００２１】
掻き出し部材２３は、製氷皿２１の上方位置で左右方向に延びた回転軸２３１と、回転軸２３１から同一方向に爪状に突出する複数の掻き出し部２３２とを備えており、掻き出し部２３２は、製氷溝２１５に対して１対１で対応している。回転軸２３１の右側端部は、製氷皿２１の右側面２１７の縁部に形成された切り欠き２１１によって回転可能に支持されているとともに、端板２５に形成された軸穴２５１によって回転可能に支持されている。また、回転軸２３１は、右側端部に形成されたフランジ部２３９が端板２５の内面に当接し、回転軸２３１の右側への移動が規制されている。これに対して、回転軸２３１の他方端はＤカット部分２３０になっており、図３（Ａ）に示すように、駆動ユニット３内に配置された回転カム体５５（カム体）に連結されている。
【００２２】
かかる脱氷機構１ｆにおいて、図３（Ｂ）に示す掻き出し部２３２の位置が原点位置であり、この原点位置において、掻き出し部２３２は、回転軸２３１を挟んで給水口２２１が配置されている側とは反対側に向けて傾いた状態にある。この状態から、回転軸２３１が矢印Ａで示す方向に回転して、図３（Ｃ）に示す姿勢に移行する間に、掻き出し部２３２は、製氷溝２１５内の氷を製氷皿２１から浮き上がらせ、掻き出し部２３２により製氷皿２１から浮き上がった氷は、掻き出し部２３２およびガイド部材２４の上面を摺動して、製氷皿２１の前側から貯氷部１ａに落下していく。なお、掻き出し部２３２が、図３（Ｂ）に示す状態から図３（Ｃ）に示す状態に移行しただけでは、製氷皿２１から浮き上がった氷が貯氷部１ａに落下しない可能性があるが、掻き出し部２３２が図３（Ｂ）に示す原点位置に戻るまでの間には、製氷皿２１から浮き上がった氷は完全に貯氷部１ａへと落下する。
【００２３】
［駆動ユニットの概略構成、およびその基本動作］
図４および図５は、図１に示す製氷装置の駆動ユニットの概略構成を示すブロック図である。図６は、図１に示す製氷装置の動作を示すタイミングチャート図である。
【００２４】
詳しくは後述するが、本形態の製氷装置１の駆動ユニット３には、図４（Ａ）に示すように、製氷皿２１の温度を監視するサーモスタット９１、回転軸２３１を駆動するためのモータ５、図３（Ａ）に示す回転カム体５５の回転動作に連動して開閉動作を行うメインスイッチ７２、回転カム体５５の回転動作に連動して給水ポンプ２２０を制御する給水スイッチ７３（給水制御部）、貯氷部１ａで氷が不足しているか満杯状態（満氷状態）にあるかを監視する検氷スイッチ７１、およびヒューズ１ｇを備えている。また、製氷装置１は、後述するように、モータ５の回転出力を回転カム体５５に伝達する伝達機構、およびこの伝達機構の途中位置に介挿されたトルクリミッタなども備えている。
【００２５】
本形態においては、電源Ｖとして商用電源が用いられており、モータ５、給水ポンプ２２０の電動モータ、およびヒータ２６には商用電源が供給される。また、給水ポンプ２２０の電動モータと、給水スイッチ７３とは直列に電気的接続されており、給水スイッチ７３の継断に連動して、給水ポンプ２２０の電動モータへの商用電源の供給が制御される。
【００２６】
以下、図６に示すチャートに沿って、製氷装置１での基本動作を説明する。まず、給水口２２１より製氷皿２１に対して水が供給された以降、製氷皿２１での製氷が開始される。その間、モータ５およびヒータ２６への給電は停止しており、掻き出し部２３２は、図３（Ｂ）に示すように、給水口２２１とは反対側に傾いた原点位置で停止している。この状態で、図４（Ａ）に示すように、メインスイッチ７２は第１状態にあり、サーモスタット９１および給水スイッチ７３はオフ状態にある。さらに、検氷スイッチ７１は、氷の不足状態（第１状態）にある。
【００２７】
そして、時間Ｔ０において、サーモスタット９１での製氷皿２１に対する監視結果において、製氷皿２１の温度が所定温度以下になって、図４（Ｂ）に示すように、サーモスタット９１がオン状態になると、モータ５への通電およびヒータ２６への通電が開始される。その結果、回転カム体５５が回転し、それに伴って、掻き出し部材２３は、図３（Ｂ）に矢印Ａで示す方向に回転を開始するとともに、ヒータ２６は製氷皿２１に対する加温を開始する。
【００２８】
次に、時間Ｔ１において、メインスイッチ７２は、図４（Ｃ）に示すように、第２状態に切り換わる。但し、メインスイッチ７２が第２状態に切り替わっても、モータ５への通電、およびヒータ２６への通電が継続される。このため、掻き出し部材２３は、モータ５により駆動されて、掻き出し部２３２の先端部は、製氷皿２１で製造された氷の上面に当接する。但し、この時点では、製氷皿２１の温度が低く、製氷皿２１内での氷の氷着力が大きい。このため、掻き出し部材２３の回転は、製氷皿２１内の氷により阻止され、掻き出し部２３２の先端部が製氷皿２１内の氷の上面に当接した状態で停止する。ここで、モータ５から掻き出し部材２３への動力伝達経路の途中位置には、トルクリミッタが介挿されているので、掻き出し部材２３の回転が停止している間もモータ５は回転し続け、トルクリミッタ８で制限されたトルクが氷に作用し続ける。
【００２９】
ヒータ２６の加熱により氷が製氷皿２１から剥離すると、回転カム体５５に連結された掻き出し部材２３は氷を掻き出す方向に回転を始め、検氷動作に進む。時間Ｔ２において、検氷レバー６０は、まず、先端部分が貯氷室１ａから上方に移動する。その結果、検氷スイッチ７１は、一旦、図４（Ｄ）に示すように、第１状態から第２状態に切り換わる。これに前後して氷の排出が始まり、製氷された氷が全て貯氷室１ａに落下した後、次に、時間Ｔ３において、検氷レバー６０の先端部は、再度、貯氷室１ａに向けて下降する。その際、貯氷室１ａが氷の不足状態にあれば、検氷レバー６０の先端部が下方に移動することができるので、図４（Ｃ）に示すように、検氷スイッチ７１は、第２状態から第１状態に戻る。
【００３０】
次に、時間Ｔ４において、サーモスタット９１での製氷皿２１に対する監視結果において、製氷皿２１の温度が所定温度を超えたとき、図５（Ａ）に示すように、サーモスタット９１がオフ状態になるので、ヒータ２６への通電は停止される。但し、モータ５への通電は継続される。
【００３１】
次に、時間Ｔ５で、図５（Ｂ）に示すように、給水スイッチ７３がオン状態になると、給水ポンプ２２０に商用電源の供給が開始され、給水口２２１を介して製氷皿２１への給水が行われる。その際、ヒータ２６は、抵抗値が低いので、給水ポンプ２２０に通電する際、配線の一部として利用される。この時点で、掻き出し部２３２は、既に給水口２２１近傍を完全に通過し、給水口２２１が配置されている側とは反対側に向けて傾いた状態にある。
【００３２】
次に、時間Ｔ６で、図５（Ｃ）に示すように、給水スイッチ７３がオフ状態になると、給水ポンプ２２０への通電が停止され、給水口２２１を介して製氷皿２１への給水が完了する。次に、時間Ｔ７で、モータ５への給電が停止し、掻き出し部２３２は、給水口２２１とは反対側に傾いた原点位置で停止する。その間に、メインスイッチ７２は、図４（Ａ）に示すように、第１状態に戻る。そして、製氷皿２１では、再度の製氷が行われ、以降、上記の動作が繰り返されることになる。
【００３３】
なお、時間Ｔ２において、検氷レバー６０の先端部分が貯氷室１ａから上方に移動した後、時間Ｔ３において、貯氷室１ａに向けて再度、下降しようとした際、貯氷室１ａが満氷状態にあれば、検氷レバー６０の先端部分が下方に移動することができないので、検氷スイッチ７１は、図４（Ｄ）に示すように、第２状態のままである。但し、この状態でもヒータ２６およびモータ５への通電は継続されるので、原点に復帰するまでの動作が行われる。但し、それ以降の動作において、貯氷室１ａが満氷状態にあれば、図５（Ｄ）に示すように、検氷スイッチ７１は、第２状態のままであるので、製氷皿２１の温度が所定温度以下になったとしてサーモスタット９１がオン状態になっても、ヒータ２６およびモータ６への通電は行われない。それ故、貯氷室１ａの氷が減って、検氷スイッチ７１が第２状態から第１状態に戻った時点でヒータ２６およびモータ６への通電が開始されることになる。
【００３４】
従って、本形態の製氷装置１では、氷を連続して製造するとともに、製造した氷を下方の貯氷部１ａに自動的に排出することができる。また、貯氷部１ａでは氷量を検出し、満氷状態にあるときは、貯氷部１ａへの氷の排出を停止するため、氷が貯氷部１ａから溢れることがない。
【００３５】
［駆動ユニットの詳細構成］
図７は、図１に示す製氷装置において、駆動ユニットに用いられた内ケースおよびこの内ケース内に配置された部材の説明図である。
【００３６】
図３（Ａ）に示すように、駆動ユニット３はケース体４を備えており、このケース体４の内部に、図４（Ａ）を参照して説明したモータ５、リーフスイッチからなるメインスイッチ７２、リーフスイッチからなる給水スイッチ７３（給水制御部）、リーフスイッチからなる検氷スイッチ７１などが配置されている。本形態において、ケース体４は、矩形升状の内ケース４１、地板４２（第１隔壁）および矩形升状の外ケース４３を備えており、地板４２を左右両側より挟むように内ケース４１と外ケース４３との縁部同士を重ね合わせることによりケース体４が形成される。この状態で、内ケース４１と地板４２との間に第１空間４６が区画形成される一方、外ケース４３と地板４２との間に第２空間４７が区画形成される。そして、第１空間４６および第２空間４７は各々、以下の機構などを配置するのに用いられる。
【００３７】
図７に示すように、内ケース４１と地板４２との間の第１空間４６では、内ケース４１の底部にサーモスタット９１が固定されている。また、本形態の製氷装置１では、図２（Ｂ）に示すように、製氷皿２１では、駆動ユニット３に向けてヒータ２６のゴム製の端子部２６２（連結用係合部）が突出しているのに対して、図７に示すように、駆動ユニット３のケース体４では、内ケース４１の底部において、サーモスタット９１の両側位置には、内ケース４１の外面側に向けて開口する凹部４１１（連結用被係合部）が形成されており、凹部４１１の奥には貫通穴４１２が形成されている。また、内ケース４１の底部では、貫通穴４１２内で露出するように接続端子９２が配置されている。従って、駆動ユニット３および製氷ユニット２を各々、組み立てた後、内ケース４１の凹部４１１に、製氷皿２１から突出する端子部２６２を嵌合させると、製氷ユニット２と駆動ユニット３とが連結されるとともに、端子部２６２と凹部４１１との嵌合箇所でヒータ２６の端子２６１は接続端子９２に電気的に接続される。また、内ケース４１の底部の外面側には、製氷皿２１と当接可能な位置にアース部材４５が配置されており、内ケース４１においてアース部材４５が配置されている箇所と製氷皿２１とを金属製のアース接続用のビス等により固定すると、製氷皿２１に対する接地処理を行うことができる。この状態で、サーモスタット９１は、製氷皿２１の被検温部２１９に当接するので、製氷皿２１の温度を監視することができる。さらに、駆動ユニット３と製氷ユニット２とを締結した際、回転軸２３１のＤカット部分２３０は、図８（Ａ）を参照して後述する回転カム体５５の断面Ｄ字形状の連結穴５５ｕに自動的に嵌る。
【００３８】
（脱氷機構１ｆでの回転軸２３１に対する駆動機構）
図８（Ａ）、（Ｂ）、（Ｃ）は各々、図１に示す製氷装置において、図７に示す回転カム体の側断面図、回転カム体にリーフ接片を配置した様子の斜視図、および回転カム体の分解斜視図である。
【００３９】
図３（Ａ）に示すように、内ケース４１と地板４２との間に形成された第１空間４６では、内ケース４１の底部に回転カム体５５が配置されており、回転カム体５５の上端側は、地板４２に形成された貫通穴４２１を介して、地板４２と外ケース４３との間に形成された第２空間４７内に突出している。
【００４０】
また、内ケース４１と地板４２との間に形成された第１空間４６では、図７に示すように、内ケース４１の底部において、回転カム体５５の側方位置にモータ５が配置されている。ここで、モータ５は、例えば、ＡＣ同期モータである。また、第１空間４６には、モータ５の回転を製氷ユニット２の回転軸２３１に伝達するための伝達機構５０が形成されている。この伝達機構５０は、モータ５の固定軸に回転可能に支持されたロータピニオン５１と、このロータピニオン５１と噛合する大径の外歯歯車５０２（入力部）を備えたトルクリミッタ８と、トルクリミッタ８の出力部を構成する欠歯歯車５０３と、この欠歯歯車５０３に従動する大径の外歯歯車５０４を備えた歯車体５２と、この歯車体５２の小径の外歯歯車（図示せず）と噛合する大径の外歯歯車５０６を備えた歯車体５３と、この歯車体５３の小径の外歯歯車に噛み合う大径の外歯歯車５４を備えた回転カム体５５とを備えている。
【００４１】
モータ５の出力軸の先端部は地板４２に支持され、トルクリミッタ８、歯車体５２、および歯車体５３を回転可能に支持する支軸は、モータ５の端板５ａと地板４２とによって支持されている。また、回転カム体５５は、内ケース４１の底部と地板４２とによって回転可能に支持されている。
【００４２】
図８（Ａ）に示すように、回転カム体５５は、外歯歯車５４より下方側に向けて延びる円筒部５５ｓを備えている。円筒部５５ｓには、入口部分が断面Ｄ字形状の連結穴５５ｕが形成されており、この連結穴５５ｕに対して、回転軸２３１のＤカット部分２３０が嵌ることにより、回転カム体５５の回転が回転軸２３１に伝達される。
【００４３】
（検氷機構の構成）
図９は、図１に示す製氷装置において、駆動ユニットに用いられた地板およびこの地板において外ケースと対向する側に配置された部材の説明図である。
【００４４】
本形態では、図３（Ａ）に示す内ケース４１と地板４２との間の第１空間４６、および地板４２と外ケース４３との間の第２空間４７を利用して、図１に示す検氷レバー６０を介して貯氷部１ａ内の氷量を検出する検氷機構６が構成されている。
【００４５】
本形態において、検氷機構６は、概ね、図７に示すように、内ケース４１と地板４２との間の第１空間４６を利用して構成されたレバー駆動機構６５と、図９に示すように、地板４２と外ケース４３との間の第２空間４７を利用して構成されたレバー位置検出機構７５と、地板４２と外ケース４３との間の第２空間４７を利用して構成された検氷スイッチ７１とから構成されており、レバー位置検出機構７５により、検氷スイッチ７１でのオン・オフが行われる。
【００４６】
まず、図７および図８（Ａ）に示すように、レバー駆動機構６５は、回転カム体５５の下端側に形成された円筒部５５ｓの周りに形成されたカム部５５ｔと、カム部５５ｔのカム面に従動して検氷レバー６０を駆動する第１駆動レバー６１と、この第１駆動レバー６１を付勢する捻りコイルバネ６６と、検氷レバー６０の端部を保持する第２駆動レバー６２とを備えている。
【００４７】
第１駆動レバー６１は、カム部５５ｔと当接する爪部６１１と、軸線方向に延びる円筒状の支軸６１２と、支軸６１２に対して爪部６１１と反対側に位置する伝達部６１４とを備えており、伝達部６１４には、Ｕ字状の切り欠き６１３が形成されている。このため、モータ５の回転により回転カム体５５が回転してカム部５５ｔが回転すると、爪部６１１がカム部５５ｔにより押され、第１駆動レバー６１は、捻りコイルバネ６６の付勢力に抗して、支軸６１２を中心として、図７に矢印Ｃ１で示す方向に所定の角度範囲だけ回転する。また、カム面の小径部分が爪部６１１に当接すると、第１駆動レバー６１は、捻りコイルバネ６６の付勢力によって、支軸６１２を中心として、矢印Ｃ２で示す方向に逆回転し、元の位置に戻る。
【００４８】
第２駆動レバー６２は、図１（Ａ）、（Ｂ）に示す回転出力部材６９を介して検氷レバー６０の端部に接続された円筒部６２１と、円筒部６２１の側面より突出する伝達用突起６２３と、伝達用突起６２３と略反対側で円筒部６２１の側面より突出する小突起６２２とを備えており、伝達用突起６２３の下面で突出したピン６２３ａが第１駆動レバー６１に形成されたＵ字状の切り欠き６１３に嵌っている。このため、第１駆動レバー６１が矢印Ｃ１で示す方向に回転すると、第２駆動レバー６２は、円筒部６２１を中心に矢印Ｄ１で示す方向に回転する一方、第１駆動レバー６１が矢印Ｃ２で示す方向に回転すると、第２駆動レバー６２は、円筒部６２１を中心に矢印Ｄ２で示す方向に回転する。従って、検氷レバー６０を駆動することができる。なお、地板４２には、第２駆動レバー６２の突起６２３が所定以上、矢印Ｄ２で示す方向に回転するのを阻止するストッパ６２９ａとＤ１方向に回転するのを阻止するストッパ６２９ｂとが形成されている。
【００４９】
円筒部６２１の側方位置には板バネ６３が配置されており、検氷レバー６０を手動操作で上に持ち上げると、第２駆動レバー６２の小突起６２２が板バネ６３の突起６３ａを乗り越えて検氷レバー６０が持ち上がった状態を維持するようになっている。これにより、製氷装置１は、満氷状態と同様な状態になるので、製氷装置１の動作は停止する。
【００５０】
図９に示すように、第２駆動レバー６２は、円筒部６２１の上半部が地板４２を貫通して地板４２と外ケース４３との間の第２空間４７に位置しており、レバー位置検出機構７５は、第２駆動レバー６２において円筒部６２１の上端部分の外周面に形成された突起６２５と、地板４２上において円筒部６２１の上端部の周りに装着された従動リング７５１と、従動リング７５１の外周面から突出する突部７５２により姿勢が切り替えられる押圧レバー７５３とを備えている。押圧レバー７５３は、地板４２に形成された突部に嵌る円筒部７５３ａと、円筒部７５３ａから延びた連結部７５３ｂと、連結部７５３ｂの先端部から従動リング７５１の側に突出する第１突部７５３ｃと、連結部７５３ｂの先端部から第１突部７５３ｃとは反対側に突出する第２突部７５３ｄとを備えている。
【００５１】
レバー位置検出機構７５において、従動リング７５１の突部７５２の裏面側、かつ、円筒部６２１が貫通している穴の内周側には、周方向に延びた切り欠き７５５（凹部）が形成されており、第２駆動レバー６２の円筒部６２１に形成された突起６２５は、切り欠き７５５の周方向の端部７５５ａ、７５５ｂに対して一定の遊びをもって切り欠き７５５の内部に位置している。このため、第２駆動レバー６２と従動リング７５１との間には、所定の寸法だけ周方向で離間する位置に第２駆動レバー６２の移動を従動リング７５１に伝達する伝達部が形成されている。
【００５２】
このように構成したレバー位置検出機構７５では、第２駆動レバー６２が矢印Ｄ１の方向に回転した際（検氷レバー６０を上昇させた際）、その動きは、突起６２５が切り欠き７５５の周方向の矢印Ｄ１で示す側に位置する端部７５５ｂに当接することにより伝達され、従動リング７５１は、第２駆動レバー６２に連動して矢印Ｄ１で示す方向に回転することになる。従って、押圧レバー７５３の第１突部７５３ｃは、従動リング７５１の外周面のうち、突部７５２が形成されていない周面（従動部材の低部）が当接している状態から、突部７５２の斜面７５２ｄに当接している状態に移行し、突部７５２の外周面（従動部材の高部）に当接する直前の状態になるので、押圧レバー７５３は、円筒部７５３ａを中心に矢印Ｅ１で示す方向に回転し、第２突部７５３ｄが検氷スイッチ７１にオン・オフ動作を行わせる。
【００５３】
本形態において、検氷スイッチ７１はリーフスイッチであり、３枚のリーフ接片７１１、７１２、７１３により構成されている。３枚のリーフ接片７１１、７１２、７１３のうち、２枚のリーフ接片７１２、７１３は固定された状態にある一方、リーフ接片７１１は、押圧レバー７５３が当接し、変位するようになっている。より具体的には、リーフ接片７１１は、押圧レバー７５３の第２突部７５３ｄが非当接状態にあるときは、リーフ接片７１３において、リーフ接片７１１に対してリーフ接片７１２とは反対側まで延びてリーフ接片７１１に対向する端部７１３ａに当接し、リーフ接片７１１とリーフ接片７１３とが接触状態にある。これに対して、リーフ接片７１１は、押圧レバー７５３の第２突部７５３ｄに押圧されると、リーフ接片７１２の側に変形して、リーフ接片７１３の端部７１３ａから離れ、リーフ接片７１２と接触状態になる。
【００５４】
このように構成された検氷機構６において、モータ５が回転を開始するまでは、リーフ接片７１１がリーフ接片７１３の端部７１３ａに当接している。そして、貯氷部１ａの氷量を検出する際、モータ５により回転カム体５５が回転し、その回転により、第１駆動レバー６１が矢印Ｃ１で示す方向に回転すると、第２駆動レバー６２は、円筒部６２１を中心に矢印Ｄ１で示す方向に回転する。その結果、検氷レバー６０は、図３（Ａ）、（Ｂ）に矢印Ｆ１で示すように回転し、その先端部が上昇する。その際、第２駆動レバー６２は、矢印Ｄ１で示す方向に回転し、従動リング７５１も矢印Ｄ１で示す方向に回転するので、従動リング７５１の突部７５２は、押圧レバー７５３の第１突部７５３ｃの下に潜り込んだ状態となる。従って、押圧レバー７５３が矢印Ｅ１で示す方向に回転する結果、リーフ接片７１１がリーフ接片７１２に接触した状態となる。また、押圧レバー７５３が従動リング７５１の突起７５２に乗り上げた状態では、リーフ接片７１１とリーフ接片７１２とは安定した接触状態となる。
【００５５】
さらに、モータ５の回転により回転カム体５５が回転すると、第１駆動レバー６１が矢印Ｃ２で示す方向に逆回転し、第２駆動レバー６２は、円筒部６２１を中心に矢印Ｄ２で示す方向に回転しようとする。その結果、検氷レバー６０は、図３（Ａ）、（Ｂ）に矢印Ｆ２で示すように回転し、その先端部が下降しようとする。
【００５６】
その際、貯氷部１ａで氷が不足している場合は、検氷レバー６０の下降が許容されるので、第２駆動レバー６２の矢印Ｄ２で示す方向に回転し、突起６２５が切り欠き７５５の端部７５５ａを押圧し、従動リング７５１が、矢印Ｄ２で示す方向に回転することが可能である。従って、押圧レバー７５３の第１突部７５３ｃが従動リング７５１の突部７５２の斜面７５２ａに当接するタイミングで、貯氷部１ａで氷が不足状態にあるか、満氷状態にあるかの境界として設定すれば、検氷スイッチ７１でのオン・オフ動作により、貯氷部１ａの氷量を検出できる。
【００５７】
ここで、従動リング７５１は、第２駆動レバー６２に対して遊びをもって従動するので、第２駆動レバー６２が矢印Ｄ１で示す方向に回転した後、矢印Ｄ２で示す方向に反転しても、突起６２５が切り欠き７５５の内部を移動するだけで、従動リング７５１は従動しない。その代わりに、リーフ接片７１１は、弾性変形した状態から復帰しようとする付勢力を押圧レバー７５３に加えているので、第２駆動レバー６２が矢印Ｄ２で示す方向に回転した際、押圧レバー７５３は、従動リング７５１の突部７５２に形成されている斜面７５２ａを押圧して従動リング７５１を矢印Ｄ２で示す方向に変位させる。従って、従動リング７５１が第２駆動レバー６２によって駆動される前に従動リング７５１が変位することになる。それ故、リーフ接片７１１は、従動リング７５１が第２駆動レバー６２によって駆動される前であっても、弾性変形した状態から瞬時に復帰することができ、検氷スイッチ７１では、瞬時にリーフ接片７１１がリーフ接片７１３の端部７１３ａに接触した状態に戻る。それ故、カム機構を介して動作が検氷スイッチ７１に伝達される場合でも、検氷スイッチ７１では、リーフ接片７１１、７１２、７１３が接触している状態と、離間した状態とが明確でない不安定領域が発生しないので、電気的障害が発生しない。
【００５８】
なお、貯氷部１ａで氷が満杯状態にある場合、検氷レバー６０の下降が氷によって阻止されるので、第２駆動レバー６２の矢印Ｄ２で示す方向への回転が阻止され、リーフ接片７１１は、リーフ接片７１２に接触した状態のままとなる。なお、検氷レバー６０の下降が氷によって阻止された以降は、第１駆動レバー６１は矢印Ｃ２方向への回転が阻止されているので、第１駆動レバー６１の爪部６１１は回転カム体５５のカム部５５ｔにＣ２方向への従動はしない状態となり、回転カム体５５が回転しても検氷レバー６０は氷によって規制された位置より下降することはない。
【００５９】
（メインスイッチ７２の構成）
図１０は、図１に示す製氷装置においてメインスイッチを構成する３枚のリーフ接片の説明図である。本形態では、図３（Ａ）に示す地板４２と外ケース４３との間の第２空間４７を利用してメインスイッチ７２が構成されており、かかるメインスイッチ７２を構成するにあたって、第１空間４６から地板４２の貫通穴４２１を介して第２空間４７に突出する回転カム体５５の上半分を利用する。
【００６０】
回転カム体５５は、図８（Ａ）、（Ｂ）に示すように、外歯歯車５４から上方に向かって、大径部５５３、この大径部５５３より小径の円弧状板状部５５４、この円弧状板状部５５４より小径の第１カム部５５８、この第１カム部５５８より小径の第２カム部５５９、およびこの第２カム部５５９より小径の小径部５５５がこの順に形成された多段形状になっており、これらの段部は、第２空間４７の側に位置している。第１カム部５５８および第２カム部５５９の側面はいずれも、周方向で径が急激に変化する段部５５８ｂ、５５９ｂを備えるカム面になっており、このカム面では、段部５５８ｂ、５５９ｂを起点にして矢印Ｂで示す方向に向かって径が拡大している。また、第１カム部５５８と第２カム部５５９とでは、段部５５８ｂ、５５９ｂの位置が周方向でずれており、矢印Ｂで示す方向において、段部５５９ｂは、段部５５８ｂより後方に位置している。なお、円弧状板状部５５４には、後述する給水スイッチ７３のリーフ接片を動作させる凸状カム部５５６が形成されている。
【００６１】
また、地板４２では、図８（Ｂ）、図９および図１０に示すように、回転カム体５５に向けて、メインスイッチ７２（リーフスイッチ）を構成する３枚のリーフ接片７２１、７２２、７２３が延びている。３枚のリーフ接片７２１、７２２、７２３において、リーフ接片７２３は最も回転カム体５５の中心軸線に近い位置に配置され、その外側にリーフ接片７２２が配置され、さらにその外側にリーフ接片７２１が配置されている。リーフ接片７２３の先端部７２３ｃは、第２カム部５５９の側面に弾性をもって当接している。また、初期状態において、リーフ接片７２２の先端部７２２ｃは、段部５５９ｂの低い方に落ち込んだ状態にあり、リーフ接片７２３に弾性をもって接触している。これに対して、リーフ接片７２１の先端部７２１ｃは、第１カム部５５８の側面に弾性をもって当接している。
【００６２】
ここで、３枚のリーフ接片７２１、７２２、７２３は、互いに固定端および自由端を同一の方向に向けて並列配置されており、回転カム体５５は、３枚のリーフ接片７２１、７２２、７２３のいずれに対しても、リーフ接片７２１、７２２、７２３の固定端側が位置する側から自由端が位置する側に向けて回転する。このため、３枚のリーフ接片７２１、７２２、７２３はいずれも、回転カム体５５の凸部で半径方向外側に押圧された後、凸部が通り過ぎると瞬時に元の形状に復帰する。
【００６３】
本形態において、リーフ接片７２３は、基端側から直線的に延びた後、上方に向けて直角に屈曲し、しかる後に、再度水平に延びており、先端部７２３ｃの下端縁は第１カム部５５８の上面を摺動可能である。これに対して、リーフ接片７２１、７２２は、基端側がリーフ接片７２３の基端側と同一の高さ位置で直線的に延びた後、先端部７２１ｃ、７２２ｃは上方に向けて幅が拡大された形状を有しており、先端部７２１ｃ、７２２ｃの上端縁は、リーフ接片７２３の先端部７２３ｃの上端縁と同一の高さ位置にある。また、リーフ接片７２１、７２２を比較すると、リーフ接片７２１の先端縁は、リーフ接片７２２の先端縁よりもわずかに先端側に突出している。このように構成したリーフ接片７２１、７２２は、回転カム体５５が矢印Ｂで示す方向に回転すると、先端部７２１ｃ、７２２ｃは、第１カム部５５８の側面に沿って移動するとともに、先端部７２１ｃ、７２２ｃの下端縁が円弧状板状部５５４の上面を摺動する。
【００６４】
このように構成したメインスイッチ７２において、初期状態では、リーフ接片７２３は、段部５５８ｂの高い方に位置している一方、リーフ接片７２２は、段部５５９ｂの低い方に位置しているため、リーフ接片７２３に接触している。この状態から、回転カム体５５が矢印Ｂで示す方向に回転すると、リーフ接片７２３の先端部７２３ｃが段部５５８ｂの低い方に落ち込み、リーフ接片７２２とリーフ接片７２３とが離間する。また、リーフ接片７２３の先端部７２３ｃが段部５５８ｂの低い方に落ち込む直前に、リーフ接片７２１の先端部７２１ｃが段部５５９ｂの低い方に落ち込むので、リーフ接片７２１はリーフ接片７２２に接続した状態になる。そして、回転カム体５５が矢印Ｂで示す方向にさらに回転すると、リーフ接片７２１、７２２、７２３は、段部５５９ｂ、５５８ｂの高い方に位置する状態に以降した後、初期状態に戻る。
【００６５】
（給水スイッチ７３（給水制御部の構成））
図１１は、図１に示す製氷装置に構成した給水スイッチ７３の説明図である。なお、図１１においては、回転カム体５５を構成する駆動用カム部材５５ａおよび従動用カム部材５５ｂのうち、従動用カム部材５５ｂについてはグレーを付すとともに、駆動用カム部材５５ａの上端側のカム部分の図示を省略してある。
【００６６】
本形態では、図３（Ａ）に示す地板４２と外ケース４３との間の第２空間４７を利用して、図９に示す給水スイッチ７３（給水制御部）が構成されており、かかる給水スイッチ７３を構成するにあたっても、メインスイッチ７２と同様、第１空間４６から地板４２の貫通穴４２１を介して第２空間４７に突出する回転カム体５５の上半分を利用する。
【００６７】
まず、円弧状板状部５５４の側面には、凸状カム部５５６が形成されている一方、回転カム体５５の円弧状板状部５５４に向けては、２枚のリーフ接片７３１、７３２が延びており、リーフ接片７３１（スイッチング用可動部材）において三角形状に屈曲されたカム当接部７３１ｇは、円弧状板状部５５４の側面（カム面）に当接している。
【００６８】
このように構成した給水スイッチ７３では、初期状態では、リーフ接片７３１がリーフ接片７３２から離れており、オフ状態にある。この状態から、回転カム体５５が矢印Ｂで示す方向に回転して、リーフ接片７３１が凸状カム部５５６によってリーフ接片７３２に向けて押圧されると、リーフ接片７３１とリーフ接片７３２とが接触してオン状態になる一方、回転カム体５５が矢印Ｂで示す方向にさらに回転して、リーフ接片７３１が元の位置に戻ると、リーフ接片７３１がリーフ接片７３２から離れ、オフ状態に戻る。
【００６９】
このような給水スイッチ７３でも、メインスイッチ７２と同様、回転カム体５５がリーフ接片７３１の固定端側が位置する側から自由端が位置する側に向けて回転するようにリーフ接片７３１を配置すれば、凸状カム部５５６で半径方向外側に押圧された後、凸状カム部５５６が通り過ぎると瞬時に元の形状に復帰する。しかしながら、本形態では、共通の回転カム体５５にメインスイッチ７２が形成されているため、狭いスペース内に５枚のリーフ接片７２１、７２２、７２３、７３１、７３２を並列配置しようとすると、回転カム体５５がリーフ接片７３１の自由端が位置する側から固定端が位置する側に向けて回転するようにリーフ接片７３１を配置せざるを得ない。そこで、以下の構成を採用して、給水スイッチ７３での応答性を高めてある。
【００７０】
（回転カム体５５の詳細構成）
まず、本形態において、回転カム体５５は、図８（Ｂ）、（Ｃ）、および図１１に示すように、回転カム体５５の本体部分をなす駆動用カム部材５５ａと、駆動用カム部材５５ａに支持されたリング状の従動用カム部材５５ｂ（給水制御用カム部材）とから構成されている。
【００７１】
駆動用カム部材５５ａは、外歯歯車５４を外周面に備えた円盤部５５１と、この円盤部５５１から突出したカム駆動軸５５２とを備えており、カム駆動軸５５２の上半部に、第１カム部５５８、第２カム部５５９、および小径部５５５がこの順に形成されている。また、駆動用カム部材５５ａは、回転軸２３１が連結される円筒部５５ｓやカム部５５ｔも一体に形成されている。
【００７２】
リング状の従動用カム部材５５ｂには、大径部５５３と、この大径部５５３の上面に形成された円弧状板状部５５４とを備えており、円弧状板状部５５４の外周面に凸状カム部５５６が形成されている。大径部５５３の下段側には、大径部５５３よりもさらに大径の円盤部５５７が形成されており、かかる円盤部５５７が、円盤部５５１の上面に形成された環状凹部５５１ｅ内に嵌められて、駆動用カム部材５５ａと従動用カム部材５５ｂとは回転カム体５５を構成する。
【００７３】
ここで、環状凹部５５１ｅの内側には、その周壁から内側に突起５５１ｆが形成されている一方、円盤部５５７の外周面には、突起５５１ｆが嵌る凹部５５７ｆが形成されている。このため、従動用カム部材５５ｂは、従動用カム部材５５ｂ上で駆動用カム部材５５ａに追従して回転するが、凹部５５７ｆの周方向の寸法は、突起５５１ｆの周方向の寸法より広いため、駆動用カム部材５５ａと従動用カム部材５５ｂとの間には、凹部５５７ｆの周方向の寸法と突起５５１ｆの周方向の寸法との差に相当する周方向の遊びが確保されている。
【００７４】
本形態において、凸状カム部５５６は、回転カム体５５の回転方向側に位置する斜面５５６ａに比して、回転方向とは反対側に位置する面５５６ｂが急峻になっている。
【００７５】
このように構成した回転カム体５５においては、少なくとも、凸状カム部５５６とリーフ接片７３１のカム当接部７３１ｇとは接近する期間中、従動用カム部材５５ｂは、駆動用カム部材５５ａに対して同心状に支持されている必要がある。
【００７６】
そこで、本形態では、従動用カム部材５５ｂの円弧状板状部５５４の内周面からなる円弧状摺動凹部５５４ａと、駆動用カム部材５５ａのカム駆動軸５５２の外周面からなる円弧状摺動凸部５５２ａとを同一の曲率半径にして、円弧状摺動凹部５５４ａと円弧状摺動凸部５５２ａとによって円弧状摺動部５５０を構成してある。なお、大径部５５３の内周面もカム駆動軸５５２の外周側に位置するが、かかる大径部５５３の内径寸法（曲率半径）は、カム駆動軸５５２よりも大きいため、大径部５５３の内周面とカム駆動軸５５２の外周面とは接触していない。すなわち、リング状の従動用カム部材５５ｂの内周面において、円弧状摺動凹部５５４ａに対して周方向にずれた部分は、円弧状摺動凹部５５４ａよりも曲率半径が大きな大径部になっており、カム駆動軸５５２の外周面（円弧状摺動凸部５５２ａ）との間に十分なクリアランスを有している。
【００７７】
また、本形態では、円弧状板状部５５４（円弧状摺動凹部５５４ａ）の円弧角Θは、１８０°以下であり、本形態では、概ね１６０°前後に設定されている。
【００７８】
（給水スイッチ７３での動作および効果）
このように構成した給水スイッチ７３では、図１１（Ａ）に示すように、リーフ接片７３１のカム当接部７３１ｇが凸状カム部５５６を乗り上げてリーフ接片７３１、７３２が電気的に接続している期間中、給水スイッチ７３が継状態にあって、給水スイッチ７３に直列に電気的に接続されている給水ポンプ２２０に商用電源Ｖが供給されている。
【００７９】
そして、従動用カム部材５５ｂがカム駆動軸５５２（駆動用カム部材５５ａ）とともに矢印Ｂで示す方向に回転して、カム当接部７３１ｇが凸状カム部５５６を乗り越えると、従動用カム部材５５ｂは、図１１（Ｂ）に示すように、面５５６ｂがリーフ接片７３１の付勢力で蹴られてカム駆動軸５５２より先行して回転する。このため、従動用カム部材５５ｂがリーフ接片７３１の自由端が位置する側から固定端が位置する側に向けて回転する場合でも、リーフ接片７３１は、凸状カム部５５６に押圧されて変形した状態から元の形状に瞬時に戻る。従って、リーフ接片７３１と接離するリーフ接片７３２の位置精度や寸法精度が低い場合でも、給水スイッチ７３が切り換わるタイミングの精度が高い。このため、給水スイッチ７３と給水ポンプ２２０の電動モータとを直列に電気的接続した場合でも、スパークが発生せず、接点の劣化を防止することができる。また、給水スイッチ７３でスパークが発生すると、商用電源にノイズが侵入することになるが、本形態では、継状態から断状態に瞬時に切り替わるので、スパークが発生せず、それ故、商用電源にノイズが侵入することを防止することができる。
【００８０】
また、従動用カム部材５５ｂおよびカム駆動軸５５２に連動する駆動用カム部材５５ａによって、給水スイッチ７３と異なる別のリーフスッチ（メインスイッチ７２）が構成されている場合でも、メインスイッチ７２については、回転カム体５５がリーフ接片７２１、７２２、７２３の固定端が位置する側から自由端が位置する側に向けて回転するように構成できる。それ故、給水スイッチ７３およびメインスイッチ７２の双方において高い応答性を実現することができる。
【００８１】
さらに、本形態では、円弧状摺動面５５０は、従動用カム部材５５ｂに形成された円弧状摺動凹部５５４ａと、この円弧状摺動凹部５５４ａと同一の曲率半径をもって駆動用カム部材５５ａに形成された円弧状摺動凸部５５２ａとによって構成されているため、従動用カム部材５５ｂは、検氷スイッチ７１の押圧力によって駆動用カム部材５５ａに対してスムーズに先行回転する。すなわち、円弧状摺動凹部５５４ａおよび円弧状摺動凸部５５２ａが全周に真円状に形成されている場合、それらの間のクリアランスが大きいと、従動用カム部材５５ｂが駆動用カム部材５５ａに対して偏心して揺動してしまう一方、クリアランスが小さいと、従動用カム部材５５ｂが駆動用カム部材５５ａに対してスムーズに先行回転できなくなる。しかるに本形態によれば、円弧状摺動面５５０は、従動用カム部材５５ｂに形成された円弧状摺動凹部５５４ａと、この円弧状摺動凹部５５４ａと同一の曲率半径をもって駆動用カム部材５５ａに形成された円弧状摺動凸部５５２ａとによって構成されているため、駆動用カム部材５５ａと従動用カム部材５５ｂとの間のクリアランスに起因する問題が発生しない。
【００８２】
また、円弧状摺動凹部５５４ａおよび円弧状摺動凸部５５２ａのうち、円弧状摺動凹部５５４ａの円弧角Θは１８０°以下である。このため、従動用カム部材５５ｂと駆動用カム部材５５ａとの間の摺動抵抗が小さい。それ故、従動用カム部材５５ｂは、検氷スイッチ７１の押圧力によって駆動用カム部材５５ａに対してスムーズに先行回転するので、検氷スイッチ７１は、安定したスイッチング動作を行なうことができる。
【００８３】
（リーフ接片の配置構造）
本形態では、検氷スイッチ７１、メインスイッチ７２および給水スイッチ７３を構成するにあたって、金属板を所定形状に加工した短冊状のリーフ接片７１１、７１２、７１３、７２１、７２２、７２３、７３１、７３２が用いられているが、これらのリーフ接片の基端側はいずれも、図１０に示すリーフ接片７２１、７２２、７２３のように、幅方向で相対向する辺同士が平行な短冊状であり、かつ、いずれのリーフ接片も基端側の幅寸法が等しい。そこで、本形態では、リーフ接片７１１、７１２、７１３、７２１、７２２、７２３、７３１、７３２のいずれについても、地板４２に台状に形成された平面Ｖ字形状の接片保持部４８を利用して保持する構造を採用している。より具体的には、接片保持部４８には複数の保持溝４８ａが同一深さおよび同一形状に形成されており、リーフ接片７１１、７１２、７１３、７２１、７２２、７２３、７３１、７３２の基端側はいずれも、保持溝４８ａに嵌めこみ固定されている。本形態において、複数の保持溝４８ａは、深さが全て同一であるため、リーフ接片７１１、７１２、７１３、７２１、７２２、７２３、７３１、７３２はいずれも、地板４２上で同一の高さ位置に保持される。
【００８４】
ここで、リーフ接片７２１、７２２の先端部７２１ｃ、７２２ｃと、リーフ接片７２３の先端部７２３ｃは、回転カム体５５において地板４２からの高さ位置が異なる第１カム部５５８および第２カム部５５９の各側面に当接するが、本形態では、図１０を参照して説明したように、リーフ接片７２３は、基端側から直線的に延びた後、上方に向けて直角に屈曲し、しかる後に、再度水平に延びており、リーフ接片７２１、７２２は、基端側がリーフ接片７２３の基端側と同一の高さ位置で直線的に延びた後、先端部７２１ｃ、７２２ｃは上方に向けて幅が拡大された形状を有している。このため、リーフ接片７２１、７２２、７２３の基端側を地板４２上の同一の高さ位置で保持した場合でも、リーフ接片７２１、７２２、７２３の先端部７２１ｃ、７２２ｃ、７２３ｃは、回転カム体５５において地板４２からの高さ位置が異なる第１カム部５５８および第２カム部５５９の各側面に好適に当接させることができる。
【００８５】
また、本形態では、リーフ接片７１１、７１２、７１３、７２１、７２２、７２３、７３１、７３２の基端側には、地板４２と対向するように配置された回路基板７０が重ねて配置されている。ここで、回路基板７０は、リーフ接片７１１、７１２、７１３、７２１、７２２、７２３、７３１、７３２の基端側で起立する端子部７１１ｅ、７１２ｅ、７１３ｅ、７２１ｅ、７２２ｅ、７２３ｅ、７３１ｅ、７３２ｅがはんだ付けされるランドを備えたＰＷＢ（Printed Wiring Board）であり、高い剛性を備えている。さらに、地板４２には、外ケース４３が被せられるが、この外ケース４３の内底面には、接片保持部４８の外形形状に合致したリブ（図示せず）が形成されている。従って、内ケース４１、地板４２および外ケース４３を重ねてケース体４を構成した状態において、リーフ接片７１１、７１２、７１３、７２１、７２２、７２３、７３１、７３２の基端側は、回路基板７０によって、その幅方向に押圧され、地板４２に向けて押付けられている。
【００８６】
（給水量調整機構の構成）
図９に示すように、本形態の製氷装置では、ケース体４の内部において、外ケース４３と地板４２（図１参照）との間を利用して、給水スイッチ７３でのオン・オフのタイミングを調整する給水量調整機構７９が構成されている。本形態の給水量調整機構７９は、地板４２から起立した支軸（図示せず）に回転可能に支持された操作部材７６（操作部材）と、この操作部材７６の外歯部に噛合するラック状の歯部７７０を備えたレバー状の伝達部材７７とを備えており、伝達部材７７は、操作部材７６に対する外部操作をリーフ接片７３２に伝達する。
【００８７】
給水スイッチ７３、操作部材７６および伝達部材７７はいずれも、ケース体４内に配置されているが、外ケース４３には、操作部材７６の頭部と重なる位置に円形穴（図示せず）が形成されている。このため、マイナスドライバー（図示せず）などで操作部材７６を回転させると、伝達部材７７は、矢印Ｇ１、Ｇ２で示すように、円筒部７７１を中心に回転し、爪部７７２の位置が変化する。その際、伝達部材７７を矢印Ｇ１で示す方向に回転すると、リーフ接片７３２の先端側がリーフ接片７３１から離れる方向に撓むので、給水スイッチ７３がオフからオンに切り替わるタイミングが遅れる一方、オンからオフに切り替わるタイミングが早まる。従って、図１を参照して説明した給水部２２から製氷皿２１への給水時間が短くなるので、製氷皿２１への給水量が減少し、その分、小さな氷を製造することができる。これに対して、伝達部材７７が矢印Ｇ２で示す方向に回転すると、リーフ接片７３２の先端側がリーフ接片７３１に接近する方向に撓むので、給水スイッチ７３がオフからオンに切り替わるタイミングが早まる一方、オンからオフに切り替わるタイミングが遅くなるので、給水部２２から製氷皿２１への給水時間が長くなる分、製氷皿２１への給水量を増大させることができ、大きな氷を製造することができる。
【００８８】
（駆動ユニットの動作）
図１２を参照して、図３〜図５を参照して説明した全体動作と関連させながら、駆動ユニットの動作を簡単に説明する。図１２は、図１に示す製氷装置の駆動ユニットの動作を示す説明図である。
【００８９】
まず、初期状態では、回転カム体５５、第１駆動レバー６１、第２駆動レバー６２、押圧レバー７５３、リーフ接片７２３、リーフ接片７３１の位置は、図１２（Ａ）に示す通りである。この状態で、検氷レバー６０の位置は最下位置にある。また、掻き出し部材２３における掻き出し部２３２は、水平方向に対して約２０°の角度をなす位置である。
【００９０】
この状態から、図６に示す時間Ｔ０において、サーモスタット９１がオン状態になると、モータ５への通電およびヒータ２６への通電が開始され、回転カム体５５が回転する結果、掻き出し部材２３は、矢印Ａの方向に回転を開始する。
【００９１】
そして、図６に示す時間Ｔ１において、図１２（Ｂ）に示すように、掻き出し部２３２が水平方向に対して約１０°の角度をなした直度、リーフ接片７２１が段差５５８ｂから落ち込むので、メインスイッチ７２が第１状態から第２状態に切り替わる。
【００９２】
次に、図６に示す時間Ｔ２において、回転カム体５５の回転が第１駆動レバー６１および第２駆動レバー６２を介して検氷レバー６０に伝達され、図１２（Ｃ）に矢印Ｆ１で示すように、検氷レバー６０が上昇する。
【００９３】
次に、図６に示す時間Ｔ３において、回転カム体５５の回転が第１駆動レバー６１および第２駆動レバー６２を介して検氷レバー６０に伝達され、図１２（Ｄ）に示すように、貯氷室１ａが氷の不足状態にあれば、矢印Ｆ２で示すように、検氷レバー６０が下降する。
【００９４】
次に、図６に示す時間Ｔ５において、回転カム体５５の回転がリーフ接片７３１に伝達されて、図１２（Ｅ）、（Ｆ）に示す区間中、製氷皿２１への給水が行われるとともに、回転カム体５５、第１駆動レバー６１、第２駆動レバー６２、押圧レバー７５３、リーフ接片７２３、リーフ接片７３１などが元の位置に戻る。すなわち、図１１（ａ）に示すように、リーフ接片７３１のカム当接部７３１ｇが凸状カム部５５６を乗り上げてリーフ接片７３１、７３２が電気的に接続している期間中、給水スイッチ７３が継状態にあるので、給水スイッチ７３に直列に電気的に接続されている給水ポンプ２２０に商用電源Ｖが供給されるので、給水されるが、カム当接部７３１ｇが凸状カム部５５６を乗り越えると、リーフ接片７３１、７３２が離間し、給水スイッチ７３が断状態になるので、給水スイッチ７３への通電が停止され、給水が停止する。
【００９５】
［給水スイッチの別の形態］
上記実施の形態では、円弧状摺動部５５０を構成する従動用カム部材５５ｂの円弧状摺動凹部５５４ａ（円弧状板状部５５４）、および駆動用カム部材５５ａの円弧状摺動凸部５５２ａ（カム駆動軸５５２）のうち、円弧状摺動凹部５５４ａ（円弧状板状部５５４）の円弧角Θを１８０°以下とした。但し、従動用カム部材５５ｂの円弧状摺動凹部５５４ａ（円弧状板状部５５４）を全周に形成し、駆動用カム部材５５ａのカム駆動軸５５２の外周面のうち、円弧角Θが１８０°以下（例えば１６０°）に相当する部分だけを、円弧状摺動凹部５５４ａと同一の曲率半径をもった円弧状摺動凸部５５２ａとしてもよい。この場合、カム駆動軸５５２の外周面のうち、円弧状摺動凸部５５２ａに対して周方向にずれた部分については、円弧状摺動凸部５５２ａより曲率半径が小さな小径部とすればよい。
【００９６】
また、上記説明では、従動用カム部材５５ｂをリング状とし、駆動用カム部材５５ａに軸状部（カム駆動軸５５２）を設けた構成としたが、駆動用カム部材をリング状にし、従動用カム部材５５ｂに軸状部を設けたスイッチ機構に本発明を適用してもよい。
【００９７】
上記説明では、円弧状摺動凹部５５４ａの円弧角Θ、あるいは円弧状摺動凸部５５２ａの円弧角Θが１８０°以下の例として１６０°前後を例示したが、円弧角Θについては、従動用カム部材５５ｂが駆動用カム部材５５ａに対して先行して回転する際に従動用カム部材５５ｂを安定してガイドできるという観点からすれば、概ね９０°以上の角度であればよい。
【符号の説明】
【００９８】
１  製氷装置
１ｆ  脱氷機構
２  製氷ユニット
３  駆動ユニット
４  ケース体
２１  製氷皿
２３  掻き出し部材
４１  内ケース
４２  地板
４３  外ケース
５５  回転カム体
５５ａ  駆動用カム部材
５５ｂ  従動用カム部材
７３  給水スイッチ（スイッチ機構）
５５０  円弧状摺動部
５５２  カム駆動軸（軸状部）
５５２ａ  円弧状摺動凸部
５５４  円弧状板状部
５５４ａ  円弧状摺動凹部
５５６  凸状カム部（カム部）
７３１  給水制御用のリーフ接片（スイッチング用可動部材）
【図１】
2010238521.tif 000003
【図２】
2010238521.tif 000004
【図３】
2010238521.tif 000005
【図４】
2010238521.tif 000006
【図５】
2010238521.tif 000007
【図６】
2010238521.tif 000008
【図７】
2010238521.tif 000009
【図８】
2010238521.tif 000010
【図９】
2010238521.tif 000011
【図１０】
2010238521.tif 000012
【図１２】
2010238521.tif 000013
【図１３】
2010238521.tif 000014
【図１１】
2010238521.tif 000015